(57)【要約】【課題】  電気光学装置において高品質な表示と狭ピッチ化を実現する。【解決手段】  走査線駆動部は、転送信号を順次出力するシフトレジスタと、複数の走査線に対応して配列され、転送信号が複数個単位の組毎に入力されると共に入力された転送信号のパルス幅を所定パルス幅に制限することにより走査信号を夫々生成する複数の論理回路と、複数の論理回路の配列方向に延在し、複数の論理回路に所定パルス幅を規定するイネーブル信号を供給する複数本のイネーブル供給線とを含む。走査線駆動部及びデータ線駆動部は、表示面が走査線に沿った分割線により分割されてなる第１及び第２の部分面のうち第１の部分面を構成する画素部を、第１の周期で面反転駆動すると共に、第２の部分面を構成する画素部を、第１の周期と相補の第２の周期で面反転駆動する。走査線駆動部は、第１の部分面を構成する画素部に対する水平走査と第２の部分面を構成する画素部に対する水平走査とを交互に行う。【選択図】      図９
2005301170.tif 000002
【特許請求の範囲】
【請求項１】
互いに交差して延びる複数のデータ線及び複数の走査線と、各々が前記データ線及び前記走査線に接続され、表示面を構成する複数の画素部とを備えた電気光学装置を駆動するために用いられる電気光学装置用駆動回路であって、
所定周期のクロック信号に基づいて各段から転送信号を順次出力するシフトレジスタと、前記複数の走査線に対応して配列され、前記転送信号が複数個単位の組毎に入力されると共に前記入力された転送信号のパルス幅を所定パルス幅に制限することにより走査信号を夫々生成する複数の論理回路と、前記複数の論理回路の配列方向に延在し、前記複数の論理回路に前記所定パルス幅を規定するイネーブル信号を供給する複数本のイネーブル供給線とを含んで構成され、前記複数の走査線の夫々に前記生成された走査信号を供給して前記画素部の水平走査を行う走査線駆動部と、
前記複数のデータ線に画像信号を供給するデータ線駆動部と
を備え、
前記走査線駆動部及びデータ線駆動部は、前記表示面が前記走査線に沿った分割線により分割されてなる第１及び第２の部分面のうち前記第１の部分面を構成する前記画素部を、第１の周期で面反転駆動すると共に、前記第２の部分面を構成する前記画素部を、前記第１の周期と相補の第２の周期で面反転駆動し、
前記走査線駆動部は、前記第１の部分面を構成する画素部に対する水平走査と前記第２の部分面を構成する画素部に対する水平走査とを交互に行う
ことを特徴とする電気光学装置用駆動回路。
【請求項２】
前記論理回路は、前記転送信号と前記イネーブル信号との論理積を前記走査信号として生成し出力することを特徴とする請求項１に記載の電気光学装置用駆動回路。
【請求項３】
前記第１及び第２の部分面は、面積が相互に等しくなるように分割されてなることを特徴とする請求項１又は２に記載の電気光学装置用駆動回路。
【請求項４】
前記走査線駆動部は、前記複数の論理回路のうち前記組として一対の論理回路毎に前記転送信号が供給されると共に、前記論理回路の各対における一方と他方には、相異なる前記イネーブル供給線が接続されることを特徴とする請求項１から３のいずれか一項に記載の電気光学装置用駆動回路。
【請求項５】
前記複数の論理回路を前記第１及び第２の部分面の夫々に対応する２系統に分けて駆動するように、前記複数本のイネーブル供給線が、前記第１及び第２の部分面の夫々に対応する第１及び第２のイネーブル供給線群に分断されており、
前記第１のイネーブル供給線群が、前記表示面の縁に沿って、前記第２の部分面から前記第１の部分面に向かう第１方向に引き出されていると共に、
前記第２の走査線駆動部が備える前記イネーブル供給線が、前記表示面の縁に沿って、前記第１方向とは逆向きの第２方向に引き出されている
ことを特徴とする請求項１から４のいずれか一項に記載の電気光学装置用駆動回路。
【請求項６】
前記複数のデータ線及び前記複数の走査線と前記複数の画素部とを備えており、
請求項１から請求項５のいずれか一項に記載の電気光学装置用駆動回路を更に備えたことを特徴とする電気光学装置。
【請求項７】
請求項６に記載の電気光学装置を備えたことを特徴とする電子機器。
【請求項８】
互いに交差して延びる複数のデータ線及び複数の走査線と、各々が前記データ線及び前記走査線に接続され、表示面を構成する複数の画素部とを備えた電気光学装置に適用される電気光学装置用駆動方法であって、
前記表示面が前記走査線に沿った分割線により分割されてなる第１及び第２の部分面のうち、前記第１の部分面を構成する前記画素部を、第１の周期で面反転駆動すると共に、前記第２の部分面を構成する前記画素部を、前記第１の周期と相補の第２の周期で面反転駆動し、
所定周期のクロック信号に基づいて生成された複数の転送信号を夫々所定数に分岐させ、前記所定数に分岐された転送信号の各々に基づいて複数の走査信号を生成し、該複数の走査信号を前記複数の走査線に供給することにより、前記第１の部分面を構成する画素部に対する水平走査と前記第２の部分面を構成する画素部に対する水平走査とを交互に行う
ことを特徴とする電気光学装置用駆動方法。
【発明の詳細な説明】
【技術分野】
【０００１】
本発明は、例えば液晶装置等の電気光学装置に用いられる駆動回路及び駆動方法、並びに該電気光学装置、更に該電気光学装置を備えて構成される電子機器の技術分野に関する。
【背景技術】
【０００２】
この種の電気光学装置には、例えば液晶装置がある。その駆動方式には、液晶の焼付きや劣化を防ぐため、ドット反転、ライン反転、面反転等の反転駆動方式が採用されている。各反転駆動方式には一長一短があるが、ドット反転やライン反転の場合、クロストークが抑制できる利点がある反面、隣接する画素電極に逆極性の電位が書き込まれるため、隣接画素間で横電界が発生するという問題がある。横電界は、液晶配向を乱して光抜けを生じさせることから、コントラスト比低下や開口率低下といった表示品質低下の大きな要因となる。従って、今後の狭ピッチ化に際しては、横電界の影響が殆どない面反転駆動方式が有利であると考えられる。
【０００３】
その一方、面反転駆動方式には別の問題点がある。即ち、先ず面反転の場合、正極性フィールド（或いは、正極性フレーム）と負極性フィールド（或いは、負極性フレーム）とでは、中間電位に対する印加電圧が多かれ少なかれ非対称になるので、フィールド周期（或いは、フレーム周期）のフリッカが発生する。更に、あるデータ線に着目した場合に、当該データ線から信号が供給される全ての画素に対し、極性の反転周期を１フィールドとすると、所定の１フィールドでは同極性の画像信号が書き込まれる。そして、次のフィールドに移った瞬間、当該データ線に供給される画像信号の極性が反転する。このとき、表示領域は上から下へ走査されるので、表示領域の上側の画素部では、画像信号が書き込まれた後の保持期間の殆どの間、データ線に供給される画像信号の極性は、保持する信号電位と同極性となる。これに対し、下側の画素では、画像信号が書き込まれた後の保持期間の殆どの間、データ線には保持する信号電位と逆極性の画像信号が印加される状態となる。このように、表示領域の上側と下側とでデータ線の電位が画素電極に与える影響に違いがあると、表示領域の片側で画素部から電荷がリークし、適正な表示がなさないおそれがある。例えば、表示する輝度に上下方向の傾斜がついたり、黒い画像が影を引いたように見えたりすることがある。
【０００４】
画面の均一性を確保する手段としては、例えば特許文献１に、１水平期間内を第１期間と第２期間とに分割し、第１期間において走査線に駆動パルスを供給すると共にデータ線に画像信号を供給することによって各画素電極に画像信号を印加する一方、第２期間においては走査線に駆動パルスを供給せずにデータ線に前とは逆極性の画像信号を供給する技術が提案されている。
【０００５】
尚、このように駆動中に発生する表示ノイズを時間的、空間的に低減するための工夫は、面反転方式以外でもなされている。例えば特許文献２には、ＮＴＳＣ方式等のインタレース信号をノンインタレース表示する場合の信号の補間に関し、走査速度を倍速とし、１水平走査期間中に同じ映像信号を同一の極性パターンで反転させながら２ラインに書き込み、且つ、書き込みラインをフィールド毎に一ラインずつずらす駆動方式について開示されている。この技術では、連続する２フィールドで同一ラインに同極性の画像信号が書き込まれることに起因して、各画素部に直流成分が残ってしまうため、この直流成分による表示ノイズを緩和するように、更に極性の反転パターンを制御するように構成されている。
【０００６】
【特許文献１】特開平５−３１３６０８号公報
【特許文献２】特開平１０−２５３９３９号公報
【発明の開示】
【発明が解決しようとする課題】
【０００７】
しかしながら、特許文献１に記載された技術では、書き込みに用いることのできる時間が通常の半分になり、書き込みが不充分になる等の問題が生じる。また、特許文献２に記載された技術では、フリッカ等をある程度視認し難くすることができるが、ノイズ成分を低減させて根本的に表示品質を向上させるには、別の着想が必要と考えられる。尚、以上の問題は液晶装置に限ったものではなく、極性を反転させる駆動方式を適用する電気光学装置であれば原理的に同様の問題が生じる可能性がある。
【０００８】
更に、こうした駆動方式を採る駆動回路は、現実に利用されるためには、狭ピッチ化に対応可能なようにレイアウトを工夫する必要がある。
【０００９】
本発明は、例えば上記問題点に鑑みなされたものであり、高品質な表示が可能であると共に狭ピッチ化が可能な電気光学装置用駆動回路及び電気光学装置用駆動方法、並びに、これらを適用した電気光学装置を提供することを目的とする。
【課題を解決するための手段】
【００１０】
本発明の電気光学装置用駆動回路は上記課題を解決するために、互いに交差して延びる複数のデータ線及び複数の走査線と、各々が前記データ線及び前記走査線に接続され、表示面を構成する複数の画素部とを備えた電気光学装置を駆動するために用いられる電気光学装置用駆動回路であって、所定周期のクロック信号に基づいて各段から転送信号を順次出力するシフトレジスタと、前記複数の走査線に対応して配列され、前記転送信号が複数個単位の組毎に入力されると共に前記入力された転送信号のパルス幅を所定パルス幅に制限することにより走査信号を夫々生成する複数の論理回路と、前記複数の論理回路の配列方向に延在し、前記複数の論理回路に前記所定パルス幅を規定するイネーブル信号を供給する複数本のイネーブル供給線とを含んで構成され、前記複数の走査線の夫々に前記生成された走査信号を供給して前記画素部の水平走査を行う走査線駆動部と、前記複数のデータ線に画像信号を供給するデータ線駆動部とを備え、前記走査線駆動部及びデータ線駆動部は、前記表示面が前記走査線に沿った分割線により分割されてなる第１及び第２の部分面のうち前記第１の部分面を構成する前記画素部を、第１の周期で面反転駆動すると共に、前記第２の部分面を構成する前記画素部を、前記第１の周期と相補の第２の周期で面反転駆動し、前記走査線駆動部は、前記第１の部分面を構成する画素部に対する水平走査と前記第２の部分面を構成する画素部に対する水平走査とを交互に行う。
【００１１】
本発明の電気光学装置用駆動回路によれば、例えば、アクティブマトリクス駆動方式が採用され、走査線駆動部による水平走査で選択された画素部列に、データ線駆動部からデータ線を通じて画像信号が供給され、データの書き込みが行われる。これら走査線駆動部及びデータ線駆動部は、１つの表示面が水平方向に２分されてなる第１及び第２の部分面を、各フィールド期間において互いに逆極性となるように面反転駆動する。ここでいう「部分面」は、面反転駆動するように少なくとも２ライン分以上の領域（即ち、２本以上の走査線を含む領域）を指す。
【００１２】
本発明に係る「面反転」とは、一画面が形成される度に（換言すると、１フィールド分の画像信号を供給する度に）、画像信号の極性を反転させる駆動方式であり、反転周期が１フィールドである面反転駆動方式に相当する。但し、この場合の反転周期は、画像信号の長さに依拠したフィールド期間ではなく、あくまで一画面の表示期間である。例えば、倍速で書き込みを行い、通常の１フィールド期間に同じ画像を繰り返し書き込んで表示する場合には、供給されるのが同一信号であっても、やはり１フィールド分を供給する度に極性を反転させる。本発明では特に、夫々の部分面に対して水平走査が逐次行なわれ、面反転駆動が行なわれる。即ち、各部分面は、その部分に相当する画像信号に関して面反転駆動される。
【００１３】
走査線駆動部による水平走査は、第１の部分面を構成する画素部と第２の部分面を構成する画素部とに交互に行われる。その際、第１の部分面と第２の部分面とには、相異なる極性のデータが書き込まれる。このため、各データ線に供給される画像信号は交流化され、データ線の電位は正負の間を変動して一方の極性に偏らないので、画素部に蓄積された電荷に影響を与えずに済む。
【００１４】
例えば、一本のデータ線について見ると、上側の部分面に対する画素部には負極性で、下側の部分面に対する画素部には正極性で画像信号を書き込む場合、下側の画素部の書き込みを行うために正極性の画像信号を印加すると、データ線の電位は正（＋）となり、上側の画素部に蓄積された負（−）の電荷を引き付ける。尚、極性が逆の場合以外に、蓄積電荷による電位に比べてデータ線の電位が高くなる場合も、相対的にみれば同様のことが起きる。つまり、同じ部分面内や同極性の部分面間においても、このような現象が頻繁に生じると考えられる。このような状況下では、データ線における印加電圧のうち直流成分が、蓄積電荷をリークさせる要因となっている。そこで、本発明の駆動回路は、データ線に少しでも直流成分が重畳されないように、即ち、画像信号を極力交流化するように駆動される。
【００１５】
従って、本発明は、前述した従来からの問題点（データ線電位に影響される時間が長い分だけ、画面下側における蓄積電荷のリーク量が多く、輝度に上下方向の傾斜がつく）と併せて、直流の信号成分を排除するように駆動することによって蓄積電荷のリーク全般を防止し、表示ノイズを極めてよく抑えることを可能とする。
【００１６】
更に、本発明における走査線駆動部は、シフトレジスタと、複数の論理回路と、複数本のイネーブル供給線とを含んで構成されている。
【００１７】
シフトレジスタからの転送信号は、各段から「順次」出力されるが、これは、各段から次々に出力される、といった意味であり、必ずしも、転送信号の時系列が各段の物理的な配列と対応している場合に限定されない。
【００１８】
シフトレジスタから出力された転送信号は、論理回路に入力され、そこで、イネーブル供給線からのイネーブル信号のパルス幅によりパルス幅を制限されることによって走査信号とされ、論理回路に対応した走査線に出力される。ここで、論理回路は、複数の走査線に対応して配列されており、複数個単位の組毎に転送信号が入力される。即ち、転送信号用にシフトレジスタから引き出される配線の本数は、論理回路の各組を構成する単位個数に応じて半分以下にまで間引かれる。そのため、回路レイアウトを省スペースに設計することができ、狭ピッチ化に寄与する。
【００１９】
このように本発明の電気光学装置用駆動回路によれば、表示面を領域毎に面反転駆動させることで、横電界の発生を極力抑えるようにしたので、高いコントラスト比を維持すると共に狭ピッチ化を図ることが可能である。同時に、画像信号の極性が交互に入れ替わるように、その時点で書き込む画像信号の極性が異なる領域に対し、交互に水平走査を行うようにしたので、画像信号が交流化され、蓄積電荷のリーク全般を防止し、適正な表示を行うことを可能とする。
【００２０】
更に、本発明の電気光学装置用駆動回路では、走査線駆動部の論理回路が複数個単位の組毎に転送信号が入力されるように構成されているために、転送信号用の配線本数を減少させることができ、このように領域反転駆動方式を採る場合において一層の狭ピッチ化を図ることが可能となる。
【００２１】
本発明の電気光学装置用駆動回路の一態様では、前記論理回路は、前記転送信号と前記イネーブル信号との論理積を前記走査信号として生成し出力する。
【００２２】
この態様によれば、論理回路において、論理積をとることで、転送信号のパルス幅がイネーブル信号によって制限される。
【００２３】
転送信号は、シフトレジスタに入力されるクロック信号に応じて出力されることから、そのパルス幅を小さく設定するにしても一定の限界があるが、このようにイネーブル信号との論理積をとることによりパルス幅を制限すれば、狭小化が可能であり、水平走査期間を短縮することができる。
【００２４】
本発明の電気光学装置用駆動回路の他の態様では、前記第１及び第２の部分面は、面積が相互に等しくなるように分割されてなる。
【００２５】
この態様によれば、第１の部分面と第２の部分面とは略同数の走査線を含むことになり、これら相補な周期で駆動される２種類の部分面に対して交互に水平走査を行えば、画像信号を殆ど常に交流化して画素部に供給することができる。
【００２６】
よって、画素部からの蓄積電荷のリークによる表示ノイズの防止を、良好に行うことが可能である。
【００２７】
本発明の電気光学装置用駆動回路の他の態様では、前記走査線駆動部は、前記複数の論理回路のうち前記組として一対の論理回路毎に前記転送信号が供給されると共に、前記論理回路の各対における一方と他方には、相異なる前記イネーブル供給線が接続される。
【００２８】
この態様によれば、論理回路は、各一対で一組をなす。仮に、論理回路の組の単位個数が２以上であれば、上述した配線の本数は更に減少するが、この配線は最終的には組単位で分岐され、組単位に論理回路に接続されるために、支線本数が逆に増大することから、却ってスペースが必要となったり、配線レイアウトが複雑化する可能性が大きい。即ち、シフトレジスタと複数の論理回路との間を結ぶ多数の配線は、まとめるとしてもせいぜい２本である方が効率よく省スペース化を行うことができる。
【００２９】
ここで対を成す論理回路に対しては、転送信号が同時に入力される。そのため、本態様では、その一方と他方とに相異なるイネーブル信号を供給することによって、互いに相異なる走査信号が生成可能とされている。従って、対を成す論理回路は、夫々対応する走査線に応じた走査信号を出力することができ、正常な動作が担保される。
【００３０】
本発明の電気光学装置用駆動回路の他の態様では、前記複数の論理回路を前記第１及び第２の部分面の夫々に対応する２系統に分けて駆動するように、前記複数本のイネーブル供給線が、前記第１及び第２の部分面の夫々に対応する第１及び第２のイネーブル供給線群に分断されており、前記第１のイネーブル供給線群が、前記表示面の縁に沿って、前記第２の部分面から前記第１の部分面に向かう第１方向に引き出されていると共に、前記第２の走査線駆動部が備える前記イネーブル供給線が、前記表示面の縁に沿って、前記第１方向とは逆向きの第２方向に引き出されている。
【００３１】
この態様では、走査線駆動部のうちの少なくとも論理回路以降が、第１及び第２の部分面の夫々に対応して２分割されている。即ち、２系統に分けられた論理回路には、夫々に対応するように複数本のイネーブル供給線が分断された構成をとり、表示面の縁に沿って延びた、第１及び第２のイネーブル供給線群が接続されている。
【００３２】
そして、第１のイネーブル供給線群と第２のイネーブル供給線群とは、部分面の配列方向において、互いに逆向きに引き出されている。即ち、これらの各線は、最小限引き出されるだけで済むため、省スペース化に寄与する。また、このようにイネーブル供給線が“２分割”されることで、並列に接続される論理回路同士における、配線長に起因する電位変動を抑えることができ、より適正に動作させることにも寄与する。
【００３３】
本発明の電気光学装置は上記課題を解決するために、上述した本発明の電気光学装置用駆動回路（但し、その各種態様を含む）を備える。
【００３４】
本発明の電気光学装置によれば、上述した本発明の電気光学装置用駆動回路を具備しているので、高品位の表示が可能であり、同時に狭ピッチ化を図ることが可能である。尚、この電気光学装置は、例えば液晶装置、有機ＥＬ装置、電子ペーパ等の電気泳動装置、電子放出素子を利用した表示装置（Field Emission Display及びSurface-Conduction Electron-Emitter Display）等の各種表示装置を実現することが可能である。
【００３５】
本発明の電子機器は上記課題を解決するために、上述した本発明の電気光学装置（但し、その各種態様を含む）を備える。
【００３６】
本発明の電子機器によれば、上述した本発明の電気光学装置を具備している。この電気光学装置は、本発明の電気光学装置用駆動回路を搭載していることから、高品位の表示が可能であり、同時に狭ピッチ化を図ることが可能である。この電子機器は、例えば、投射型表示装置、テレビジョン受像機、携帯電話、電子手帳、ワードプロセッサ、ビューファインダ型又はモニタ直視型のビデオテープレコーダ、ワークステーション、テレビ電話、ＰＯＳ端末、タッチパネル等の各種の電子機器に適用が可能である。
【００３７】
本発明の電気光学装置用駆動方法は上記課題を解決するために、互いに交差して延びる複数のデータ線及び複数の走査線と、各々が前記データ線及び前記走査線に接続され、表示面を構成する複数の画素部とを備えた電気光学装置に適用される電気光学装置用駆動方法であって、前記表示面が前記走査線に沿った分割線により分割されてなる第１及び第２の部分面のうち、前記第１の部分面を構成する前記画素部を、第１の周期で面反転駆動すると共に、前記第２の部分面を構成する前記画素部を、前記第１の周期と相補の第２の周期で面反転駆動し、所定周期のクロック信号に基づいて生成された複数の転送信号を夫々複数に分岐させ、前記複数に分岐された転送信号の各々に基づいて複数の走査信号を生成し、該複数の走査信号を前記複数の走査線に供給することによって、前記第１の部分面を構成する画素部に対する水平走査と前記第２の部分面を構成する画素部に対する水平走査とを交互に行う。
【００３８】
本発明の電気光学装置用駆動方法では、本発明の電気光学装置用駆動回路の項で前述したように、一つの表示面が水平方向に２分されてなる部分面毎に面反転駆動を行う。その際、部分面同士が、各フィールド期間において逆極性となるように駆動する。更に、水平走査は、これら正極性の部分面と負極性の部分面とに対して交互に行われ、各データ線に供給される画像信号が交流化される。このため、データ線の電位は、常に正負の間を変動して一方の極性に偏らないので、画素部に蓄積された電荷に影響を与えずに済む。
【００３９】
従って、本発明の電気光学装置用駆動方法によれば、領域毎に面反転駆動することで横電界が抑えられるので、コントラスト比低下や遮光膜の設置による画素開口率の低下を阻止し、装置の狭ピッチ化を図ることができる。また、電荷リークによる表示ノイズも防止することができ、表示品質を大きく改善することが可能である。
【００４０】
更に、本発明の駆動方法によれば、水平走査に係る各走査信号は、夫々複数に分岐された転送信号に基づき生成されることから、駆動回路における転送信号用の配線本数を減少させることができ、このような領域反転駆動方式を採る場合において、一層の狭ピッチ化を図ることが可能となる。
【００４１】
本発明のこのような作用及び他の利得は次に説明する実施の形態から明らかにされる。
【発明を実施するための最良の形態】
【００４２】
以下では、本発明の実施の形態について図を参照しつつ説明する。以下の実施形態は、本発明の電気光学装置を液晶装置に適用したものである。
【００４３】
＜１：第１実施形態＞
先ず、本発明の電気光学装置に係る第１実施形態について、図１から図１４を参照して説明する。
【００４４】
＜１−１：電気光学装置の概略構成＞
まず、本実施形態における電気光学装置の構成について、図１から図４を参照して説明する。図１は、ＴＦＴアレイ基板をその上に形成された各構成要素と共に対向基板の側から見た電気光学装置の平面図であり、図２は、図１のＨ−Ｈ'断面図である。図３は、本実施形態に係る電気光学装置のうち、画素部の等価回路を表している。図４は、駆動回路部を含むブロック図である。
【００４５】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
画像表示領域１０ａの周辺に位置する周辺領域のうち、シール材５２が配置された領域の外側には、データ線駆動回路１０１及び外部回路接続端子１０２が、ＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４９】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５０】
図２において、ＴＦＴアレイ基板１０上には、画素スイッチング用ＴＦＴや各種配線等の上に画素電極９ａが、更にその上から配向膜が形成されている。他方、対向基板２０上には、対向電極２１の他、格子状又はストライプ状の遮光膜２３が、更にその上から配向膜が形成されている。また、液晶層５０は、例えば一種又は数種類のネマティック液晶を混合した液晶からなり、これら一対の配向膜間で、所定の配向状態をとる。
【００５１】
尚、ＴＦＴアレイ基板１０上には、データ線駆動回路１０１、走査線駆動回路１０４等に加え、例えば、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５２】
図３に示したように、画像表示領域１０ａにおいては、複数の走査線３ａ及び複数のデータ線６ａが相交差して配列しており、その線間に、走査線３ａ，データ線６ａの各一により選択される画素部が設けられている。各画素部には、ＴＦＴ３０、画素電極９ａ及び蓄積容量７０が設けられている。ＴＦＴ３０は、データ線６ａから供給される画像信号Ｓ１、Ｓ２、…、Ｓｎを選択画素に印加するために設けられ、ゲートが走査線３ａに接続され、ソースがデータ線６ａに接続され、ドレインが画素電極９ａに接続されている。画素電極９ａは、後述の対向電極２１との間で液晶要領を形成し、入力される画像信号Ｓ１、Ｓ２、…、Ｓｎを画素部に印加して一定期間保持するようになっている。蓄積容量７０の一方の電極は、画素電極９ａと並列してＴＦＴ３０のドレインに接続され、他方の電極は、定電位となるように、電位固定の容量配線４００に接続されている。
【００５３】
この電気光学装置は、例えばＴＦＴアクティブマトリクス駆動方式を採り、走査線駆動回路１０４（図１参照）から各走査線３ａに走査信号Ｇ１、Ｇ２、…、Ｇｍを後述する順序で印加すると共に、それによってＴＦＴ３０がオン状態となる水平方向の選択画素部列に対し、データ線駆動回路１０１（図１参照）からのデータ信号Ｓ１、Ｓ２、…、Ｓｎを、データ線６ａを通じて印加するようになっている。この際、データ信号Ｓ１、Ｓ２、…、Ｓｎを各データ線６ａに線順次に供給してゆくようにしてもよいし、複数のデータ線６ａ（例えばグループ毎）に同じタイミングで供給するものとしてもよい。これにより、画像信号が選択画素に対応する画素電極９ａに供給される。ＴＦＴアレイ基板１０は、液晶層５０を介して対向基板２０と対向配置されているので（図２参照）、以上のようにして区画配列された画素領域毎に液晶層５０に電界を印加することにより、両基板間の透過光量が画素領域毎に制御され、画像が階調表示される。また、このとき各画素領域に保持された画像信号は、蓄積容量７０によりリークが防止される。
【００５４】
図４において示したように、本実施形態の電気光学装置の駆動回路部６０は、上述したデータ線駆動回路１０１、走査線駆動回路１０４の他、コントローラ６１、第１フレームメモリ６２及び第２フレームメモリ６３の２画面分のフレームメモリ、ＤＡコンバータ６４等から構成されている。コントローラ６１には、垂直同期信号Ｖsync、水平同期信号Ｈsync 及び画像信号DATAが入力される。そして、コントローラ６１は、垂直同期信号Ｖsync、水平同期信号Ｈsyncに基づく各構成要素の動作タイミング制御、第１フレームメモリ６２、第２フレームメモリ６３の書き込み／読み出しの制御、及び、書き込む走査線３ａに対応した画像信号DATAのフレームメモリからＤＡコンバータ６４への出力を行う。第１フレームメモリ６２及び第２フレームメモリ６３は、交互に、例えば１フレーム毎に、一方に外部入力された１フレーム分の画像信号DATAを一時的に蓄えると共に、他方からは蓄積した画像信号DATAを表示用に出力させるように利用される。ＤＡコンバータ６４は、フレームメモリから読み出された画像信号DATAをＤＡ変換し、データ線駆動回路１０１に出力するものである。データ線駆動回路１０１は、この入力信号に基づく出力として、データ信号Ｓｘに対応するデータ線６ａに印加する。
【００５５】
走査線駆動回路１０４は、具体的には後述するが、コントローラ６１からクロック信号ＣＬＹ、反転クロック信号ＣＬＹ' の入力によって基本的な線順次の水平走査が可能となっている。更に、ここでは、一つの駆動回路でありながらスタートパルスを同時に２つ生成出力すると共に、それらの走査信号としての出力タイミングをずらすためのイネーブル信号ＥＮＢＹ１〜ＥＮＢＹ４が入力される構成となっているために、以下に説明するような順序で走査信号Ｇｘを走査線３ａに印加する駆動方式をとることができる。
【００５６】
＜１−２：電気光学装置の基本的な駆動方法＞
次に、このような電気光学装置の駆動方法について図５から図８を参照して説明する。図５及び図６は、本実施形態の駆動方法を概念的に説明するための図であり、図７は、画面上の極性の変化を時系列で表したもの、図８は、任意の１水平期間の瞬間を見た画面のイメージを表したものである。
【００５７】
本実施形態では、図５のように、一画面が上下に略等しく分割されてなる２つの部分面２０１及び２０２の各画素部を、互いに相補となる周期で、本発明に係る「面反転駆動」の一例としてフィールド反転駆動させる。ここでは、この周期を２分の１フィールドとする。即ち、走査線駆動回路１０４及びデータ線駆動回路１０１は倍速駆動され、部分面２０１及び２０２に対するデータ信号Ｓｘの書き込みは１フィールド期間に２画面分行われる。具体的には、１つのフィールドデータを互いに極性の異なる第１，第２の２つのフィールドデータに分け、これらを１／２垂直期間だけシフトさせて重ね書きする。これは、フレームメモリ６２、６３を用いることで行うことができる。このとき、データ線駆動回路１０１は、１／２フィールド周期でデータ信号Ｓｘの極性を反転させると同時に、一画面においては部分面２０１と部分面２０２とでデータ信号Ｓｘの極性を異ならせるように駆動する。
【００５８】
更に、図６のように、各画面の水平走査は、部分面２０１の画素部と部分面２０２を構成する画素部とで交互に行う。即ち、データ信号Ｓｘの書き込みは、部分面２０１及び２０２に対し並行して行われる。この様子を、時系列的に表したのが図７である。
【００５９】
図７において、例えば第１水平期間では、第ｍ番目の走査線３ａが走査信号Ｇｍにより走査され、負電位のデータ信号Ｓｘが書き込まれる。第２水平期間では第ｍ/2＋1番目の走査線３ａが走査信号Ｇm/2＋1により走査され、第１水平期間では負電位であった画素部に正電位のデータ信号Ｓｘが書き込まれる。第３水平期間では第１番目の走査線３ａが走査信号Ｇ1により走査され、第１、第２水平期間では正電位であった画素部に負電位のデータ信号Ｓｘが書き込まれる。以降は、このような選択書き込み動作が繰り返される。従って、画面の半分、つまり部分面２０１及び２０２を走査し終えたときに、正極性領域と負極性領域とが完全に反転し、１画面分の書き換えが行われたことになる。この方法によると、全画面を走査すれば、書き換えは２度行われることになり、結果的に入力画像信号に対して１垂直期間が１／２となる。
【００６０】
この結果、図８に示すように、ある１水平期間に着目すると、例えば走査信号Ｇ3〜Ｇｍ/2＋2に走査される画素部は正極性電位のデータが書き込まれた領域となり、走査信号Ｇ1〜Ｇ2及びＧｍ/2＋3〜Ｇｍに走査される画素部は負極性電位のデータが書き込まれる領域（以下、単に負極性領域という）となるというように、画面内が正極性領域と負極性領域に分割されたような状態となる。
【００６１】
図８中で、正極性の領域と負極性の領域との境界２０３ＢＲ１及び２０３ＢＲ２は、画面内における上から下への垂直走査に従って、上から下へと移動する。即ち、横電界が発生することで画質が悪化する境界２０３ＢＲ１及び２０３ＢＲ２は夫々、一所に止まることなく、垂直に面内走査されるので、係る横電界による画質劣化は、視覚上、殆ど目立たなくなる。
【００６２】
このように、本実施形態では、画面の半分の広さを持つ正極性領域と負極性領域とが１垂直期間で反転することになり、部分面２０１及び２０２の各々に対しては面反転駆動が行われる。１垂直期間において、任意の画素部と隣接する画素部との間は２／ｍの時間だけは逆極性電位となるが、残りの大部分の時間（ｍ−２）／ｍは同極性電位となるので、横電界による液晶層５０における配向不良は殆ど発生しない。
【００６３】
一方、データ線６ａ側は、信号極性については部分面２０１と部分面２０２とで反転させているので、従来の面反転方式で駆動したときのように、画面の上側と下側とでＴＦＴ３０からの電荷リーク量に大きな差が生じることがなく、画面の場所による表示の不均一を回避することができる。
【００６４】
更に、ここでは、水平走査を、正極性の部分面と負極性の部分面とに対し交互に行うことから、各データ６ａ線に供給されるデータ信号Ｓｘは交流化されることになる。このため、データ線６ａの電位は、常に正負の間を変動して一方の極性に偏らないので、画素部の蓄積容量７０に蓄積された電荷をリークさせるおそれが低減される。
【００６５】
尚、こうした理由で、正極性領域と負極性領域、即ち部分面２０１及び２０２の面積は、略等しいことが望ましい。実質的にはデータ線に供給される信号の極性の対象性が要求されるので、現実には、表示に寄与しないダミー画素を含めた両者の差分が面積比率で１０パーセント以内に抑えられていることが好ましい。更には一方の極性の走査が垂直帰線期間にあって他方の走査が表示領域にある際にも、データ線の交流化を損なわないために、垂直帰線のデータ線に供給する信号も他方の信号の逆極性の映像信号レベル内であることが望ましい。
【００６６】
また本実施形態では、倍速駆動により、走査周波数は入力画像信号周波数の倍の１００Ｈｚ以上となるので、人間の視覚上で認識可能なフリッカを確実に抑制することができる。
【００６７】
＜１−３：駆動回路の構成、及び駆動方法＞
次に、このような駆動方法を実現するための具体的手段について、図９及び図１０を参照して説明する。図９は、走査線駆動回路１０４の構成例を表し、図１０は図９に示した走査線駆動回路１０４におけるタイミングチャートを示している。
【００６８】
図９に示したように、本実施形態では、走査線駆動回路１０４のうち少なくとも論理回路部６９１及び６９２以降が、部分面２０１及び２０２の夫々に対応して２分割されている。走査線駆動回路１０４は、例えば図４に示したコントローラ６１からクロック信号ＣＬＹ、反転クロック信号ＣＬＹ' が入力されるシフトレジスタ６６と、夫々にシフトレジスタ６６から転送信号ＳＲ１、ＳＲ２、…、ＳＲm/2が入力される、２系統の論理回路部６９１及び６９２と、論理回路部６９１及び６９２にイネーブル信号ＥＮＢＹ１〜ＥＮＢＹ４を供給するイネーブル供給線ＥＢ１〜ＥＢ４とを含んでなる。
【００６９】
論理回路部６９１と論理回路部６９２とは、ｍ本の走査線３ａに対応して配列されたｍ個の論理回路が２分されてなる。また、論理回路部６９１及び６９２は夫々、一対の論理回路６９ａ及び６９ｂの組毎にシフトレジスタ６６から転送信号が入力されるように構成されている。即ち、図示したように、シフトレジスタ６６から転送信号用に引き出された配線６７の本数は、供給先である論理回路６９ａ又は６９ｂの総数の半分、ｍ／２本で済む。そのため、この走査線駆動回路１０４は、レイアウトを省スペースに設計することができ、狭ピッチ化に寄与する。
【００７０】
尚、本実施形態では、論理回路６９ａ又は６９ｂの各一対が一組をなすようにしたが、仮に論理回路の組の単位個数が２以上とした場合、上述した配線の本数は更に減少するが、この配線は最終的には組単位で分岐され、組単位で論理回路に接続されるために、支線本数が逆に増大することから、却ってスペースが必要となったり、配線レイアウトが複雑化したりする可能性が大きい。即ち、シフトレジスタと複数の論理回路との間を結ぶ多数の配線は、まとめるとしてもせいぜい２本である方が効率よく省スペース化を行うことができる。
【００７１】
そして、２系統に分けられた論理回路部６９１及び６９２には、夫々に対応して２本のイネーブル供給線が分断されているように、部分面２０１の縁に沿って延びたイネーブル供給線ＥＢ１及びＥＢ２、部分面２０２の縁に沿って延びたイネーブル供給線ＥＢ３及びＥＢ４が夫々接続されている。尚、ここでは、イネーブル供給線ＥＢ１及びＥＢ２と、イネーブル供給線ＥＢ３及びＥＢ４とが、本発明の「第１及び第２のイネーブル供給線群」の一例に相当している。具体的には、論理回路部６９１における論理回路６９ａ及び６９ｂには、イネーブル供給線ＥＢ１及びＥＢ２が夫々接続され、論理回路部６９２における論理回路６９ａ及び６９ｂには、イネーブル供給線ＥＢ３及びＥＢ４が夫々接続されている。
【００７２】
イネーブル供給線ＥＢ１及びＥＢ２とイネーブル供給線ＥＢ３及びＥＢ４とは、部分面２０１及び２０２の配列方向において、互いに逆向きに引き出されている。即ち、これらの各線は、最小限引き出されるだけで済むため、走査線駆動回路１０４内に占める面積が小さくなり、省スペース化に寄与する。また、このようにイネーブル供給線が“２分割”されることで、夫々の配線長が短くなり、イネーブル供給線に並列に接続される論理回路相互間の配線長に起因する電位変動を抑えることができ、より適正に動作させることにも寄与する。
【００７３】
また、個々の論理回路は、転送信号のパルス幅をイネーブル信号のパルス幅で制限することによって走査信号Ｇ１、…、Ｇｍを夫々生成するように構成されている。具体的には、論理回路６９ａ及び６９ｂは、例えばＮＡＮＤ回路及びＮＯＴ回路からなり、転送信号とイネーブル信号との論理積を出力するように構成されている。
【００７４】
次に、この走査線駆動回路１０４の動作について、図１０を参照して説明する。
【００７５】
図１０に示したように、シフトレジスタ６６からの転送信号ＳＲ１、ＳＲ２、…、ＳＲm/4と、転送信号ＳＲm/4＋1、ＳＲm/4＋2、…、ＳＲm/2とは、部分面２０１及び２０２をあたかも同時に水平走査するように、配線６７に同じタイミングで出力される。即ち、部分面２０１及び２０２各々の一本目の配線６７に転送信号ＳＲ１及びＳＲm/4＋1を、二本目の配線６７に転送信号ＳＲ２及びＳＲm/4＋2を、…というようにして順次走査されてゆく。一方、イネーブル信号ＥＮＢＹ１〜ＥＮＢＹ４は、転送信号の各印加期間内において順繰りに立ち上がる。その印加時に出力された転送信号は、論理回路においてパルス幅をイネーブル信号に制限され、走査信号として走査線３ａに出力される。
【００７６】
ところで、転送信号ＳＲ１〜ＳＲm/2は、シフトレジスタ６６に入力されるクロック信号に応じて出力されることから、その高周波化には、クロック周期による制限のために一定の限界があるが、このように論理回路にてイネーブル信号との論理積をとることでパルス幅を制限すれば、狭小化することができる。
【００７７】
ここで、転送信号は、対を成す論理回路６９ａ及び６９ｂに対して同時に入力されるが、対を成す論理回路６９ａ及び６９ｂの各動作期間は、相異なるイネーブル信号によってずらされており、同時に走査信号を出力することはない。例えば、論理回路部６９１では、シフトレジスタ６６からの転送信号ＳＲ１は、図９中、一番上に位置する論理回路６９ａ及び６９ｂの対に同時に入力される。図１０に示したように、転送信号ＳＲ１の印加期間のうち、最初の４分の１の期間にはイネーブル信号ＥＮＢＹ１が印加され、論理回路６９ａが選択的に動作して、イネーブル信号ＥＮＢＹ１と同じパルス幅の走査信号Ｇ１が出力される。そして、第３番目の４分の１の期間にイネーブル信号ＥＮＢＹ２が印加されると、論理回路６９ｂが選択的に動作して、イネーブル信号ＥＮＢＹ２と同じパルス幅の走査信号Ｇ２が出力される。論理回路部６９２では、上記と同じ期間に、転送信号ＳＲm/4＋1が、図９中、一番上に位置する論理回路６９ａ及び６９ｂの対に同時に入力され、イネーブル信号ＥＮＢＹ３及びＥＮＢＹ４によって、論理回路６９１とは相補のタイミングで動作する。
【００７８】
その結果、走査信号Ｇ１〜Ｇｍは図示のように走査信号Ｇ１、Ｇm/2＋1、Ｇ２、Ｇm/2＋2、…の順に出力され、前述のような水平走査が実現される（図６又は図７参照）。
【００７９】
＜２：第２実施形態＞
以下、本発明の電気光学装置に係る第２実施形態について図１１から図１２を参照して説明する。図１１は、第２実施形態に係る電気光学装置の主要部の構成を表している。図１２は、当該電気光学装置の駆動方法を表すタイミングチャートである。
【００８０】
本実施形態の電気光学装置は、第１実施形態に対し基本構成はほぼ同様であるが、走査線駆動回路１０４ａのうち、イネーブル供給線ＥＢ１及びＥＢ３に代えてイネーブル供給線ＥＢ２１を設けると共に、イネーブル供給線ＥＢ２及びＥＢ４に代えてイネーブル供給線ＥＢ２２を設けたで異なっている。従って、第１実施形態と同様の構成要素については、同一の符号を付してその説明を適宜省略するものとする。
【００８１】
イネーブル供給線ＥＢ２１及びＥＢ２２は共に、部分面２０１及び部分面２０２に沿って延び、全ての論理回路対を対象として信号供給が可能なように配置されている。即ち、イネーブル供給線ＥＢ２１は、対を成す論理回路のうち論理回路６９ａに、イネーブル供給線ＥＢ２２は論理回路６９ｂに、夫々イネーブル信号ＥＮＢＹ２１及び２２を供給するように構成されている。
【００８２】
このような走査線駆動回路１０４ａは、例えば以下のようにして駆動される。
【００８３】
図１２に示したように、シフトレジスタ６６からの転送信号ＳＲ１、ＳＲ２、…、ＳＲm/4と、転送信号ＳＲm/4＋1、ＳＲm/4＋2、…、ＳＲm/2とは、部分面２０１及び２０２の水平走査を並行して行うように、配線６７に対して相補なタイミングで出力される。即ち、部分面２０１の一本目の配線６７に転送信号ＳＲ１が出力され、次いで、部分面２０２の一本目の配線６７に転送信号ＳＲm/4＋1が出力される。次に、部分面２０１の二本目の配線６７に転送信号ＳＲ２が出力され、部分面２０２の二本目の配線６７に転送信号ＳＲm/4＋2が出力される。
【００８４】
一方、イネーブル信号ＥＮＢＹ２１及び２２は、部分面２０１に対応する転送信号と部分面２０２に対応する転送信号との両方の印加期間に跨って出力される。そのため、イネーブル信号ＥＮＢＹ２１の印加期間では、まず部分面２０１に対応する転送信号が、次いで部分面２０２に対応する転送信号が、夫々、対を成す論理回路のうち論理回路６９ａの方に選択的に出力される。これと相補なタイミングで出力されるイネーブル信号ＥＮＢＹ２２の印加期間では、まず部分面２０１に対応する転送信号が、次いで部分面２０２に対応する転送信号が、夫々、対を成す論理回路のうち論理回路６９ｂの方に選択的に出力される。
【００８５】
その結果、走査信号Ｇ１〜Ｇｍは、図示のように第１実施形態と同様に出力され、前述のような水平走査が実現される（図６又は図７参照）。
【００８６】
このように本実施形態によれば、第１実施形態と同様の効果を得ることが可能である。
【００８７】
＜３：変形例＞
次に、上記実施形態の変形例について図１３及び図１４を参照して説明する。ここに、図１３は、上記実施形態の第１の変形例に係る電気光学装置における主要部の構成を示し、図１４は、第２の変形例に係る電気光学装置における主要部の構成を示している。
【００８８】
上記各実施形態では、走査線駆動回路における多数の論理回路が、一対の論理回路６９ａ及び６９ｂ毎に分かれた構成としたが、このような論理回路の組は、単位個数は２個に限らず、それ以上であってもよい。
【００８９】
図１３は、そのような具体例として、論理回路の単位個数が３個の場合を示している。この場合、一組内の論理回路６９ａ、６９ｂ及び６９ｃには、一本の配線６７から同一の転送信号が入力される。そのため、配線６７の本数は、上記実施形態よりも更に減少し、配線６７の占めるスペースを狭めることができる。従って、本変形例によれば、一層の狭ピッチ化を図ることも可能である。
【００９０】
また、論理回路６９ａ、６９ｂ及び６９ｃは、イネーブル供給線ＥＢ１〜ＥＢ３より、イネーブル信号ＥＮＢＹ１、ＥＮＢＹ２及びＥＮＢＹ３が夫々入力されることにより、互いに異なるタイミングで走査信号を出力するように構成されている。即ち、これらの論理回路６９ａ、６９ｂ及び６９ｃは、同時に入力される転送信号を時分割して走査信号を生成、出力するように駆動される。結果的に、本変形例では、走査信号Ｇ１、…、Ｇｍを上記実施形態と同様の形態で走査線３ａに出力させることができる。
【００９１】
また、図１４に示したように、上記実施形態では、全転送信号を出力するシフトレジスタ６６を設けるようにしたが、例えば、図１４に示したように、このシフトレジスタ６６をいわば“２分割”し、部分面２０１及び部分面２０２の夫々に対応するシフトレジスタ６６ａ、及びシフトレジスタ６６ｂを設けるようにしてもよい。
【００９２】
シフトレジスタ６６ａ、及びシフトレジスタ６６ｂは、例えば、第１実施形態に適用する場合には同一構成で、全く同様に駆動されればよく、第２実施形態に適用する場合には同一構成で相補のタイミングで駆動されればよい。
【００９３】
＜４：電子機器＞
次に、以上詳細に説明した電気光学装置をライトバルブとして用いた電子機器として、投射型カラー表示装置の一具体例について図１５を参照して説明する。ここに、図１５は、投射型カラー表示装置の図式的断面図である。
【００９４】
図１５において、第１又は第２実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として拡大投射される。
【００９５】
この投射型カラー表示装置では、上記実施の形態の電気光学装置を用いたことにより、高精細で、フリッカ等のノイズが極めて少ない、均一性に優れた表示が可能である。
【００９６】
本発明は、上述した実施形態に限られるものではなく、請求の範囲及び明細書全体から読み取れる発明の要旨、あるいは思想に反しない範囲で適宜変更可能であり、そのような変更を伴う電気光学装置用駆動回路及び電気光学装置用駆動方法、並びに、該電気光学装置、及びそれを具備する電子機器もまた、本発明の技術的範囲に含まれるものである。
【００９７】
例えば、上記実施形態では、ＴＦＴを用いたアクティブマトリクス型の液晶装置を例に挙げて説明したが、本発明はこれに限定されず、例えば画素スイッチング素子にＴＦＤ（Thin
Film Diode）を用いたものや、パッシブマトリクス型のものなどに対しても適用可能である。また、液晶装置以外の、時間的又は空間的な極性反転を伴ってマトリクス駆動を行うことが可能な電気光学装置も本発明の適用範囲である。そのような電気光学装置としては、例えば、エレクトロルミネッセンス装置や電気泳動装置、電子放出素子を利用した表示装置（Field Emission Display及びSurface-Conduction Electron-Emitter Display）等が挙げられる。
【図面の簡単な説明】
【００９８】
【図１】電気光学装置の全体構成を示す平面図である。
【図２】図１のＨ−Ｈ'断面図である。
【図３】電気光学装置の画像表示領域を構成するマトリクス状に形成された複数の画素部における各種素子、配線等の等価回路である。
【図４】第１実施形態に係る電気光学装置の駆動系に係る構成を示すブロック図である。
【図５】第１実施形態に係る電気光学装置の駆動方法を説明するための図である。
【図６】第１実施形態に係る電気光学装置の駆動方法を説明するための図である。
【図７】第１実施形態に係る電気光学装置の駆動方法を説明するための図である。
【図８】第１実施形態に係る電気光学装置の駆動方法を説明するための図である。
【図９】第１実施形態に係る電気光学装置の駆動回路の具体的構成を示す回路図である。
【図１０】第１実施形態に係る電気光学装置の駆動方法を説明するためのタイミングチャートである。
【図１１】第２実施形態に係る電気光学装置の駆動回路の具体的構成を示す回路図である。
【図１２】第２実施形態に係る電気光学装置の駆動方法を説明するためのタイミングチャートである。
【図１３】実施形態の変形例に係る駆動回路の構成を示す回路図である。
【図１４】実施形態の変形例に係る駆動回路の構成を示す回路図である。
【図１５】本発明の電気光学装置を適用した電子機器の実施形態としての投射型カラー表示装置の一例を示す図式的断面図である。
【符号の説明】
【００９９】
３ａ…走査線、６ａ…データ線、９ａ…画素電極、１０ａ…画像表示領域、３０…ＴＦＴ、４００…容量配線、６０…駆動回路部、６６…シフトレジスタ、６７…配線、ＥＢ１〜ＥＢ４、ＥＢ２１、ＥＢ２２…イネーブル供給線、６９１、６９２…論理回路部、７０…蓄積容量、１０１…データ線駆動回路、１０４、１０４ａ…走査線駆動回路、２０１、２０２…部分面、Ｇ1〜Ｇｍ…走査信号、ＳＲ１〜ＳＲ2/m…転送信号、ＥＮＢＹ１〜ＥＮＢＹ４、ＥＮＢＹ２１、ＥＮＢＹ２２…イネーブル信号。
【図１】
2005301170.tif 000003
【図２】
2005301170.tif 000004
【図３】
2005301170.tif 000005
【図４】
2005301170.tif 000006
【図５】
2005301170.tif 000007
【図６】
2005301170.tif 000008
【図７】
2005301170.tif 000009
【図８】
2005301170.tif 000010
【図９】
2005301170.tif 000011
【図１０】
2005301170.tif 000012
【図１１】
2005301170.tif 000013
【図１２】
2005301170.tif 000014
【図１３】
2005301170.tif 000015
【図１４】
2005301170.tif 000016
【図１５】
2005301170.tif 000017